(57)【要約】【課題】地震が起きたときに家具３が転倒しないように固定する転倒防止具１であって、壁の胴ぶち２ｂと家具３との位置関係に合わせて、取り付け位置の距離の間隔と姿勢の関係について調節可能であって、美観を損ねず安価で単純な家具の転倒防止具１を提供することにある。【解決手段】石膏ボード２ｃとクロス２ｄを挟む形で壁の胴ぶち２ｂに取り付けるベース４と、家具３に取り付けるブラケット８を設け、ベース４とブラケット８間の長さ間隔について揺動アーム５と延長アーム６により伸縮可能に連結し、ベース４と揺動アーム５との間及び延長アーム６とブラケット８との間をそれぞれ揺動可能に構成する。【選択図】図１
0003127078.tif 000002
【実用新案登録請求の範囲】
【請求項１】
ベースと、前記ベースにより片方の端部を揺動可能に保持した揺動アームであってネジ棒を有する揺動アームと、前記ネジ棒に片方の端部の揺側ネジ部をねじ込んで取り付けた延長アームと、前記延長アームの他方の端部を揺動可能に保持するブラケットを有するとを特徴とする家具の転倒防止具。
【請求項２】
ベースと、前記ベースにより片方の端部を揺動可能に保持した揺動アームであってネジ棒を有する揺動アームと、前記ネジ棒に片方の端部の揺側ネジ部をねじ込んで取り付けた延長アームであって他方の端部に首側ネジ部を有する延長アームと、前記首側ネジ部に止ネジ部をねじ込んで取り付けた首穴止を有し、
さらに、前記首穴止の首部より大きく、かつ、前記首穴止の頭部より小さな穴である首穴を有するブラケットを設け、前記首穴に前記首部を通して前記首穴止を前記延長アームに取り付けることにより、前記ブラケットにより前記延長アームの他方の端部を揺動可能に保持したことを特徴とする家具の転倒防止具。
【請求項３】
請求項１又は請求項２のいずれかに記載した家具の転倒防止具であって、ベースと揺動アーム間の揺動方向と延長アームとブラケット間の揺動方向の２つの揺動方向が概略同じ方向になるように構成したことを特徴とする家具の転倒防止具。
【請求項４】
請求項１〜請求項３のいずれかに記載した家具の転倒防止具であって、ベースの取付面とブラケットの取付面とを概略直角に交わるように構成したときに、揺動アーム及び延長アームがブラケットの取付面に対して０〜３７度の範囲で揺動可能であることを特徴とする家具の転倒防止具。
【請求項５】
請求項１〜請求項４のいずれかに記載した家具の転倒防止具であって、揺動アームのネジ棒全体を覆う揺動筒部を有することを特徴とする家具の転倒防止具。
【請求項６】
請求項１〜請求項５のいずれかに記載した家具の転倒防止具であって、揺動アームの片方の端部の揺動部から延長アームの他方の端部の揺動部までの距離について、３００〜５００ｍｍの範囲で調節可能であることを特徴とする家具の転倒防止具。
【考案の詳細な説明】
【技術分野】
【０００１】
本考案は、家具の上面と部屋の壁との間や家具の側面と部屋の壁との間などに取り付けて使用する家具の転倒防止具に係わり、家具の転倒を防止することにより地震発生時において安全性の高い居住空間を確保することに関するものである。
【背景技術】
【０００２】
家具の転倒防止としては、家具の上面と部屋の天井との間を伸縮部材で連結したり、家具の両側面に床から天井に至る側板を取り付けて、家具の転倒を防止する発明があった（例えば、特許文献１、２、３参照。）。
しかし、これらの発明は部屋の天井が十分強度を有する場合には有効であっても、天井の強度が弱いときは天井が壊れてしまうため役に立たない問題があった。
そこで、家具と部屋の壁とをブラケットで連結することを考えたが、壁の全面を構成するボードは強度が弱くこれにブラケットを取り付けても家具を支えることはできない問題があった。
通常の壁には、ボードを取り付けるために柱と柱の間に胴ぶちと呼ばれる骨木が張り渡してあり、胴ぶちは十分強度を有しているため、胴ぶちに家具を取り付ければ家具の転倒防止が可能であるが、胴ぶちは水平方向に渡した部材であって上下約３００ｍｍピッチで取り付けてあるため、単なるブラケットでは胴ぶちの位置によって家具と胴ぶちとを連結することができなかったり、ブラケットの大きさが過大になって見栄えが悪くなる問題があった。
【特許文献１】特開平  ８−２５２１３６号公報
【特許文献２】特開２００３−３０４９４６号公報
【特許文献３】特開２００５−１５２５１２号公報
【考案の開示】
【考案が解決しようとする課題】
【０００３】
本考案は、上記した問題を解決するためになされたもので、その目的とするところは地震が起きたときに家具が転倒しないように固定する転倒防止具を提供することにある。
特に、壁の胴ぶちと家具との位置関係に合わせて、取り付け位置の距離間隔と姿勢関係を調節可能な家具の転倒防止具であって、美観を損ねず安価で単純な家具の転倒防止具を提供することにある。
【課題を解決するための手段】
【０００４】
壁に取り付けるベースと家具に取り付けるブラケットを設け、ベースとブラケット間の長さ間隔について揺動アームと延長アームにより伸縮可能に連結する構成とし、ベースとブラケット間の上下左右の位置ずれに対応するために、ベースと揺動アーム間の取り付け及び延長アームとブラケット間の取り付けをそれぞれ揺動可能に構成する。
【考案の効果】
【０００５】
本考案により、地震が起きたときに家具が転倒しないよう防止する機能を有する、家具の転倒防止具を提供することができた。
特に、壁に取り付けるベースと家具に取り付けるブラケットの間隔を自由に調節可能であって、上下左右の位置をずらしてベースとブラケットを取り付けることが可能な家具の転倒防止具としたので、壁の胴ぶちの位置の変化や家具の状況の変化に容易に適応した家具の固定が可能になった。
また本考案により、地震発生時に家具が転倒することを防ぐことができたので、大型家具のそばで生活する人間の安全性が高くなった。さらに、美観を有し安価で単純な家具の転倒防止具を提供することができた。
【考案を実施するための最良の形態】
【０００６】
ベースと、前記ベースにより片方の端部を揺動可能に保持した揺動アームであってネジ棒を有する揺動アームと、前記ネジ棒に片方の端部の揺側ネジ部をねじ込んで取り付けた延長アームと、前記延長アームの他方の端部を揺動可能に保持するブラケットを有する家具の転倒防止具とする。
ベースは揺動アームを揺動可能に保持し壁に取り付け可能な構成であればよい。例えば壁に取り付けるための取付面を設け、取付面に木ネジを通す穴を２個以上明ければ壁に取り付けることが可能になる。
ベース、ネジ棒、延長アーム及びブラケットは鉄製が好ましい、強度が強いため転倒防止具を小型にすることが可能であり、さらに安価だからである。
ベースにより揺動アームを揺動可能に保持する構成には、ベースと揺動アームの両方を貫通する穴を明けてピンを差し込むことにより、遊びのないまわり待遇で結合する構成がある。また、ベースに固定した鉄製の環と揺動アームに固定した鉄製の環を互いに相手側の環の中を通してつなぎ合わす構成や、首穴止と穴を組み合わせた構成など、互いに少し遊びを設けて結合する構成が考えられる。
このときベースと揺動アーム間の揺動と延長アームとブラケット間の揺動の２つの揺動の方向が概略同じ方向に揺動可能に構成する。もちろん両方とも自由な方向に揺動可能に構成してもよいが、少なくとも概略同じ方向には揺動可能な構成にすれば、ベースとブラケットを取り付ける姿勢の関係を、二次元の面内において調節可能にすることができるからである。
ネジ棒はオスネジとし、なるべく片方の端部にある揺動部の近くまでネジを有するものとすることにより、ベースとブラケット間の間隔の調整範囲を長くすることが好ましい。延長アームはネジ棒の長さより長いものとし、片方にネジ棒のネジと同じサイズのメスネジを設ける。
そして延長アームの他方の端部をブラケットにより揺動可能に保持する。揺動可能に保持する構成については、上記したベースにより揺動アームを揺動可能に保持する構成と同様の構成でよい。揺動可能に構成した２箇所のうちいずれか一方の構成について遊びを設けて揺動可能にすると、取り付ける姿勢について多様な姿勢を選択可能になるので好ましい。
【０００７】
ベースと、前記ベースにより片方の端部を揺動可能に保持した揺動アームであってネジ棒を有する揺動アームと、前記ネジ棒に片方の端部の揺側ネジ部をねじ込んで取り付けた延長アームであって他方の端部に首側ネジ部を有する延長アームと、前記首側ネジ部に止ネジ部をねじ込んで取り付けた首穴止を有し、
さらに、前記首穴止の首部より大きく、かつ、前記首穴止の頭部より小さな穴である首穴を有するブラケットを設け、前記首穴に前記首部を通して前記首穴止を前記延長アームに取り付けることにより、前記ブラケットにより前記延長アームの他方の端部を揺動可能に保持した家具の転倒防止具とする。
本考案は、上記した考案において延長アームをブラケットに取り付ける構成について、首穴止と穴を組み合わせた構成とした考案である。延長アームの首側ネジ部をメスネジとして首穴止の止ネジ部をオスネジとする構成と、首側ネジ部をオスネジとして止ネジ部をメスネジとする構成の両方が考えられる。
ここで首穴止の頭部の首部側の面を、球面の一部を切り取った球帯と概略同様の外面形状とすると、首穴止が揺動するときに首穴止とブラケットの間の揺動が滑らかになるため好ましい。
首穴を延長アームの外径及び首穴止の頭部の外径より小さな穴とすることにより、ブラケットが首穴止の首部から外れないようにすると共に、首穴を首部の外径より大きな穴とする。首穴の中に延長アームがはまりこんだり首穴から首穴止の頭部が抜けたりしなければよいので、首穴を長穴として、長穴の幅について延長アームの外径や頭部の外径より小さな幅とすれば、長穴の長さについては延長アームの外径や頭部の外径より長い長穴にすることも可能である。
【０００８】
また、ベースの取付面とブラケットの取付面とを概略直角に交わるように構成したときに、揺動アーム及び延長アームがブラケットの取付面に対して０〜３７度の範囲で揺動可能である家具の転倒防止具とする。
ベースの取り付け相手である壁面と家具の上面や側面は直角に交差することが多い。そこで、ベースの取付面とブラケットの取付面とが概略直角に交わるように構成したものである。揺動アーム及び延長アームがブラケットの取付面に対して０〜３７度の範囲で揺動可能としたのは、最大３７度まで揺動可能であれば壁の胴ぶちが最大３００ｍｍ位置ずれした場合でも、取り付けることを可能にすることができるからである。
上記した家具の転倒防止具であって、揺動アームのネジ棒全体を覆う揺動筒部を有する家具の転倒防止具とする。
ネジ棒は強度の点から鉄製とする必要があるがそのままでは見栄えが悪いし、ネジの精度と強度を維持する観点から塗装などを施すことも適当でない。そこでネジ棒全体を延長アームより大きな内径を有する揺動筒部で覆い、延長アームを揺動筒部の中に挿入する形で、ネジ棒に揺側ネジ部をねじ込んで取り付る構成にしたものである。
上記した家具の転倒防止具であって、揺動アームの片方の端部の揺動部から延長アームの他方の端部の揺動部までの距離について、３００〜５００ｍｍの範囲で調節可能である家具の転倒防止とする。
壁の胴ぶちは上下方向に約３００ｍｍピッチで柱に取り付いているため、家具の上面にブラケットを取り付ける場合に、ブラケットの取付面から揺動アームの揺動部までの高さが最大３００ｍｍｍになることがある。このとき延長アームがブラケットの取付面に対して３７度になるように取り付けると、揺動アームの片方の端部の揺動部から延長アームの他方の端部の揺動部まで約５００ｍｍの長さになるからである。また実用的には３００ｍｍｍ以下の長さは不要と考えられるからである。
【実施例１】
【０００９】
以下本考案の実施例１を図１、２に示し説明する。実施例１の転倒防止具１はベース４と、ベース４により揺動可能に保持した揺動アーム５と、揺動アーム５のネジ棒５ｂに片方の端部にある揺側ネジ部６ａをねじ込んで取り付けた延長アーム６と、延長アーム６の他方の端部にある首側ネジ部６ｃに止ネジ部７ｃをねじ込んで取り付けた首穴止７と、首穴８ｂを首穴止の首部７ｂが貫通する形で取り付けたブラケット８を有している。
ベース４は壁面に取り付けるための取付面４ａと揺動アーム５を保持するための保持部４ｂを有するものとし、揺動アームの平面部５ａとベースの保持部４ｂを貫通する穴を設けてこの穴にピン９を取り付けて、ベース４により揺動アーム５の片方の端部をピン９を中心に揺動可能に保持する構成にした。
揺動アーム５は鉄製のネジ棒５ｂと合成樹脂製の揺動筒部５ｄからなるものとした。丸棒の片方の端部を板状にプレス加工して平面部５ａとし、平面部５ａを除いた丸棒部全体をＭ６のオスネジに加工してネジ棒５ｂとした。実施例１では平面部５ａの穴の中心からネジ棒のネジ端５ｃまでの長さを２３５ｍｍとした。
また平面部５ａとネジ棒５ｂを芯にして、平面部５ａを合成樹脂で直接覆い、ネジ棒５ｂを空間を空けて覆う円筒形状の揺動筒部５ｄを設け、平面部５ａの穴の中心から揺動筒部の筒端５ｅまでの長さを２４０ｍｍとして、ネジ棒５ｂの全体が揺動筒部５ｄによって覆われるようにした。
延長アーム６は鉄製であって、揺動筒部５ｄの内径より小さい外径を有しネジ棒５ｂの外径より大きな内径を有する延長筒部６ｂと、片方の端部に設けた揺側ネジ部６ａと他方の端部に設けた首側ネジ部６ｃを有している。実施例１では、揺側ネジ部６ａと首側ネジ部６ｃの両方ともＭ６のメスネジとした。また、延長アーム６の揺側端６ｄから首側端６ｅまでの長さは２８０ｍｍとした。
首穴止７は鉄製であって、頭部７ａと首部７ｂと止ネジ部７ｃを有し、頭部７ａは外径１５ｍｍとしその首側の面７ｄを概略球帯の外面形状を有するものとした。また首部７ｂは外径６ｍｍ×長さ８ｍｍとし、止ネジ部７ｃはＭ６のオスネジとした。このため、首穴止の止ネジ部７ｃを延長アームの首側ネジ部６ｃに完全にねじ込むと、外径６ｍｍ×長さ８ｍｍの首部ができる。
ブラケット８は厚さ１．９ｍｍの平鋼をＬ字型に折り曲げて、片方を首穴止７に取り付けるための保持面８ｃとし、他方を家具に取り付けるための取付面８ａとした。保持面８ｃには穴径１０ｍｍの首穴８ｂを設けた。
【００１０】
実施例１の転倒防止具１では、ネジ棒５ｂの根本まで延長アームの揺側ネジ部６ａをねじ込むと延長アームの揺側端６ｄはピン９の中心から１５ｍｍの位置になり、ネジ棒のネジ端５ｃ付近に延長アームの揺側ネジ部６ａをねじ込むと延長アームの揺側端６ｄはピン９の中心から２２３ｍｍの位置になる。
ブラケットの保持面８ｃの厚さ１．９ｍｍに対して首穴止の首部７ｂの長さは８ｍｍあるので、６．１ｍｍの遊びがあるが、延長アームの首側端６ｅから３ｍｍ離してブラケット８を取り付けるものとすれば、片方の揺動中心であるピン９の中心から、他方の揺動中心となるブラケットの保持面８ｃまでの距離Ａは２９８〜５０６ｍｍの範囲で自由に調節可能であある。
また、厚さ１．９ｍｍ×穴径１０ｍｍの首穴８ｂに対して外径６ｍｍ×長さ８ｍｍの首部７ｂとし、頭部の首側の面７ｄを概略球帯の外面形状を有するものとしたので、ブラケットの取付面８ａに対する延長アーム６の角度Ｂを４０度まで傾斜可能である。
また、ベース４、ネジ棒５ｂを除く揺動アーム５、延長アーム６、首穴止７、ブラケット８、ピン９の全ての外面を塗装して美感を有するものとした。ネジ棒５ｂについてはネジの精度と強度を維持する観点から塗装しないが、ネジ棒５ｂは揺動筒部５ｄに覆われていて人の目につくことはなく、転倒防止具１全体の美感を維持することができる。
【００１１】
通常の壁では、柱２ａの室内側に上下３００ｍｍピッチで厚さ１６ｍｍ×幅４２ｍｍの胴ぶち２ｂを取り付け、胴ぶち２ｂの室内側に石膏ボード２ｃを取り付け、石膏ボード２ｃの表面にクロス２ｄを張るケースが多い。
石膏ボード２ｃは強度が弱いが、胴ぶち２ｂは家具３が転倒することを防ぐために十分な強度を有しているので、転倒防止具１のベース４を石膏ボード２ｃとクロス２ｄを挟んで胴ぶち２ｂに取り付ける。また、ブラケット８を家具３に取り付ける。
ベースの取付面４ａとブラケットの取付面８ａにはそれぞれ取付穴を設けてあるので、取付穴を貫通させて木ネジ１０のネジを胴ぶち２ｂにねじ込み、取付穴を貫通させて木ネジ１０を家具３にねじ込むことにより、ベース４を壁にブラケット８を家具３の上面にそれぞれ取り付けて使用する。
胴ぶち２ｂは３００ｍｍピッチであるので、最も条件の悪いときに家具３の上面から胴ぶち２ｂまでの高さＣが３００ｍｍになることが考えられる。このとき転倒防止具１と家具３の上面との角度θを３７度にして取り付けると、ピン９の中心からブラケットの保持面８ｃと首穴止の首部７ｂの中心の交点までの間の距離が５００ｍｍとなり、転倒防止具１を取り付けることができる。
また実施例１の転倒防止具１は、首穴止７とブラケットの保持面８ｃの関係に遊びを設け、すべての方向に揺動可能に構成したので、家具の側面にブラケット８を取り付ける場合などに、壁の胴ぶち２ｂとブラケット８を取り付ける位置に垂直方向の高さの位置ずれがあっても容易に取り付けることができる。
実施例１の転倒防止具１を取り付けると、地震がおきて家具３が強い振動を受けても、家具３の上面や側面が壁の胴ぶち２ｂに連結されているので、揺れることはあっても家具３が転倒することはない。
【産業上の利用可能性】
【００１２】
本考案は、建築金物又は生活用品を製造販売する産業及び建設産業で利用される。
【図面の簡単な説明】
【００１３】
【図１】実施例１の転倒防止具の正面視の断面図である。
【図２】実施例１の転倒防止具を取り付けた状態を表した正面図である。
【符号の説明】
【００１４】
１  ：転倒防止具            ２ａ：柱                    ２ｂ：胴ぶち
２ｃ：石膏ボード            ２ｄ：クロス                ３  ：家具
４  ：ベース                ４ａ：取付面                ４ｂ：保持部
５  ：揺動アーム            ５ａ：平面部                ５ｂ：ネジ棒
５ｃ：ネジ端                ５ｄ：揺動筒部              ５ｅ：筒端
６  ：延長アーム            ６ａ：揺側ネジ部            ６ｂ：延長筒部
６ｃ：首側ネジ部            ６ｄ：揺側端                ６ｅ：首側端
７  ：首穴止                ７ａ：頭部                  ７ｂ：首部
７ｃ：止ネジ部              ７ｄ：首側の面              ８  ：ブラケット
８ａ：取付面                ８ｂ：首穴                  ８ｃ：保持面
９  ：ピン                １０  ：木ネジ
【図１】
0003127078.tif 000003
【図２】
0003127078.tif 000004